(57)【要約】【課題】耐環境性能の向上を図ること。【解決手段】前面開口１０ａが形成されたケース本体１０と、ケース本体１０の収納室１１に複数段設けられ、収納対象となる商品を載置する商品載置部と、吸込口２１１を通じて収納室１１の空気を吸い込み、吹出口２１２を通じて収納室１１に空気を吹き出す態様で空気を循環させる空気循環手段２０と、空気循環手段２０により循環させられる空気を冷却する蒸発器２５とを備えたショーケースにおいて、商品載置部の前端部より離隔して設けられることにより、前端部との間に吹出口２１２から吹き出された空気が通過する通過口３７を形成する面材５０を備え、面材５０は、上下方向に沿って延在することで商品載置部の商品を載置する領域の最大高さの少なくとも半分以上の高さを覆う待機姿勢と、商品載置部に載置された商品が前面開口１０ａを通じて取り出されることを許容する開放姿勢との間で開閉自在に設けられている。【選択図】図１
2017000359.tif 000002
【特許請求の範囲】
【請求項１】
前面に開口が形成されたケース本体と、
前記ケース本体の内部の前記開口を臨む収納室に上下方向に沿って複数段設けられ、かつ収納対象となる商品を載置する商品載置部と、
吸込口を通じて前記収納室の空気を吸い込み、かつ吹出口を通じて該収納室に空気を吹き出す態様で前記収納室の内部と外部との間で空気を循環させる空気循環手段と、
前記空気循環手段により循環させられる空気を所定の温度に調整する温度調整手段と
を備え、前記商品載置部に載置された商品を所望の温度状態に保持するショーケースにおいて、
前記商品載置部の前端部より離隔して設けられることにより、該前端部との間に前記吹出口から吹き出された空気が通過する通過口を形成する面材を備え、
前記面材は、上下方向に沿って延在することにより該当する商品載置部の商品を載置する領域の最大高さの少なくとも半分以上の高さを覆う待機姿勢と、該当する商品載置部に載置された商品が前記開口を通じて取り出されることを許容する開放姿勢との間で開閉自在に設けられていることを特徴とするショーケース。
【請求項２】
前記面材は、前記待機姿勢となる場合に、自身の前面側に前記吹出口から吹き出された空気を通過させることを特徴とする請求項１に記載のショーケース。
【請求項３】
前記商品載置部の前端部より該商品載置部の幅方向に一対となる態様で前方に向かって延在するアーム部を備え、
前記面材は、基端部に形成された貫通孔に前記アーム部に架設された軸部が貫通することで該軸部の軸心回りに揺動する態様で開閉移動することを特徴とする請求項１又は請求項２に記載のショーケース。
【請求項４】
前記面材は、常態においては付勢手段に付勢されて前記待機姿勢となる一方、開操作された場合に前記付勢手段の付勢力に抗して開移動することを特徴とする請求項１〜３のいずれか１つに記載のショーケース。
【請求項５】
前記面材は、透明体により構成されたことを特徴とする請求項１〜４のいずれか１つに記載のショーケース。
【発明の詳細な説明】
【技術分野】
【０００１】
本発明は、ショーケースに関し、より詳細には、収納対象となる商品を所望の温度状態に保持するショーケースに関するものである。
【背景技術】
【０００２】
従来、収納対象となる商品を所望の温度状態に保持するショーケースとして、次のようなものが知られている。前面に開口が形成されたケース本体の内部の収納室に、複数の商品載置棚が上下方向に沿って複数段設けられており、それぞれの商品載置棚に商品が載置されている。また、ケース本体内であって収納室外となる個所には、吸込口を通じて吸い込んだ収納室内の空気の通路が形成されており、この空気通路には蒸発器が配設されている。該空気通路を通過する空気は、蒸発器で冷却され、その後に収納室の上部に設けられた吹出口より吹き出される。吹出口から吹き出された空気が吸込口に吸い込まれて循環することにより、商品載置棚に載置された商品が所望の温度に調整されて保持される。
【０００３】
このようなショーケースにおいては、各商品載置棚に該商品載置棚の前端部から離隔する状態で上下方向に延在するガイド部材が取り付けられ、吹出口から吹き出された空気が商品載置棚の前端部とガイド部材との間を通過するようにしてエアカーテンを形成し、冷気漏れの低減化を図るようにしていた（例えば、特許文献１参照）。
【先行技術文献】
【特許文献】
【０００４】
【特許文献１】特開２０１０−２０７５６４号公報
【発明の概要】
【発明が解決しようとする課題】
【０００５】
ところで、近年、例えば鉄道の駅の改札口の中やホームにコンビニエンスストアが設置されている。かかるコンビニエンスストアでは、店舗事情等により、店舗の出入口の近傍にショーケースが設置されることがあり、しかも時間帯によっては出入口が常時開放状態となることで、結果的にショーケースが半屋内的に使用されることがある。
【０００６】
このようにショーケースが半屋内的に使用される環境下においては、上述した特許文献１に提案されているショーケースのように商品載置棚とガイド部材との間でエアカーテンを形成するようにしても、出入口から侵入する外気によりエアカーテンが乱されてしまい、商品を所望の温度状態に保持することが困難となる場合があった。つまり、従来のショーケースでは、耐環境性能が不十分となることがあった。
【０００７】
本発明は、上記実情に鑑みて、耐環境性能の向上を図ることができるショーケースを提供することを目的とする。
【課題を解決するための手段】
【０００８】
上記目的を達成するために、本発明に係るショーケースは、前面に開口が形成されたケース本体と、前記ケース本体の内部の前記開口を臨む収納室に上下方向に沿って複数段設けられ、かつ収納対象となる商品を載置する商品載置部と、吸込口を通じて前記収納室の空気を吸い込み、かつ吹出口を通じて該収納室に空気を吹き出す態様で前記収納室の内部と外部との間で空気を循環させる空気循環手段と、前記空気循環手段により循環させられる空気を所定の温度に調整する温度調整手段とを備え、前記商品載置部に載置された商品を所望の温度状態に保持するショーケースにおいて、前記商品載置部の前端部より離隔して設けられることにより、該前端部との間に前記吹出口から吹き出された空気が通過する通過口を形成する面材を備え、前記面材は、上下方向に沿って延在することにより該当する商品載置部の商品を載置する領域の最大高さの少なくとも半分以上の高さを覆う待機姿勢と、該当する商品載置部に載置された商品が前記開口を通じて取り出されることを許容する開放姿勢との間で開閉自在に設けられていることを特徴とする。
【０００９】
また本発明は、上記ショーケースにおいて、前記面材は、前記待機姿勢となる場合に、自身の前面側に前記吹出口から吹き出された空気を通過させることを特徴とする。
【００１０】
また本発明は、上記ショーケースにおいて、前記商品載置部の前端部より該商品載置部の幅方向に一対となる態様で前方に向かって延在するアーム部を備え、前記面材は、基端部に形成された貫通孔に前記アーム部に架設された軸部が貫通することで該軸部の軸心回りに揺動する態様で開閉移動することを特徴とする。
【００１１】
また本発明は、上記ショーケースにおいて、前記面材は、常態においては付勢手段に付勢されて前記待機姿勢となる一方、開操作された場合に前記付勢手段の付勢力に抗して開移動することを特徴とする。
【００１２】
また本発明は、上記ショーケースにおいて、前記面材は、透明体により構成されたことを特徴とする。
【発明の効果】
【００１３】
本発明によれば、商品載置部の前端部より離隔して設けられる面材が、前端部との間に吹出口から吹き出された空気が通過する通過口を形成するので、通過口を通過する空気によりエアカーテンが良好に形成され、収納室の商品を良好に所望の温度に調整することができる。しかも、面材は、待機姿勢となる場合には、上下方向に沿って延在することにより該当する商品載置部の商品を載置する領域の最大高さの少なくとも半分以上の高さを覆うので、当該ショーケースが半屋内的に使用される環境下においても、店舗等の出入口から侵入する外気によりエアカーテンが乱されてしまうことを抑制できる。従って、耐環境性能の向上を図ることができるという効果を奏する。
【図面の簡単な説明】
【００１４】
【図１】図１は、本発明の実施の形態であるショーケースの内部構造を模式的に示す断面側面図である。
【図２】図２は、図１に示した商品載置棚の要部を拡大して示す拡大平面図である。
【図３】図３は、図１に示した商品載置棚の要部を拡大して示す拡大断面図である。
【図４】図４は、図１に示した商品載置棚の要部を拡大して示す拡大断面図である。
【図５】図５は、本発明の実施の形態であるショーケースの変形例の要部を拡大して示す拡大断面図である。
【発明を実施するための形態】
【００１５】
以下に添付図面を参照して、本発明に係るショーケースの好適な実施の形態について詳細に説明する。
【００１６】
図１は、本発明の実施の形態であるショーケースの内部構造を模式的に示す断面側面図である。ここで例示するショーケースは、ケース本体１０を備えている。
【００１７】
ケース本体１０は、前面に開口（以下、前面開口ともいう）１０ａが形成された断熱筐体であり、その内部には収納室１１が画成されているとともに、空気循環手段２０が設けられている。
【００１８】
収納室１１は、上記前面開口１０ａを臨む態様で画成された室であり、その内部には複数の商品載置部が上下方向に沿って複数段並ぶよう設けられている。商品載置部の説明については後述する。
【００１９】
空気循環手段２０は、空気通路２１と循環ファン２２とを備えて構成されている。空気通路２１は、吸込口２１１から吹出口２１２に至る空気の通路である。吸込口２１１は、収納室１１の内部の空気を吸い込むための開口であり、収納室１１の左右方向に沿って延設されている。この吸込口２１１は、収納室１１の下側前方縁部、すなわちケース本体１０の前面開口１０ａの近傍の下部に配設されている。
【００２０】
吹出口２１２は、収納室１１の内部に空気を吹き出すための開口である。この吹出口２１２は、収納室１１の左右方向に延設してあって、収納室１１の上側前方縁部、すなわちケース本体１０の前面開口１０ａの近傍の上部に配設されている。
【００２１】
このような空気通路２１は、収納室１１外であってその下方にある下方ダクト２１ａと、収納室１１外であってその背面側にある背面ダクト２１ｂと、収納室１１外であってその上方にある上方ダクト２１ｃとを互いに連通した態様で構成されている。
【００２２】
循環ファン２２は、空気を循環させるものであり、下方ダクト２１ａの所定部位に配設されている。本実施の形態においては、循環ファン２２は下方ダクト２１ａの所定部位に配設されているが、本発明では、循環ファン２２の配設位置は特に限定されるものではなく、後述する循環ファン２２の機能を発揮することができる個所であればどこに配設しても構わない。
【００２３】
このような空気循環手段２０においては、循環ファン２２が駆動することにより吸込口２１１を通じて収納室１１の内部にある空気（内部空気）を吸い込み、吸い込んだ空気が空気通路２１を通過する態様で吹出口２１２まで送出し、吹出口２１２を通じて送出した空気を収納室１１の内部に吹き出すことにより、収納室１１の内部と外部との間で空気を循環させるものである。
【００２４】
上記空気通路２１には、蒸発器（温度調整手段）２５が設けられている。蒸発器２５は、図示せぬ圧縮機、凝縮器及び膨張機構とともに冷媒を循環させる冷媒循環手段を構成する。ここに圧縮機は、冷媒を圧縮するものであり、凝縮器は、圧縮機で圧縮された冷媒を凝縮させるものである。膨張機構は、凝縮器で凝縮された冷媒を断熱膨張させて低温低圧の状態にさせるものである。
【００２５】
蒸発器２５は、循環ファン２２が駆動することにより空気通路２１の背面ダクト２１ｂを下方から上方に向けて通過する空気と、膨張機構で断熱膨張させた冷媒とを熱交換させるもの、より詳細には、冷媒を蒸発させることにより背面ダクト２１ｂを通過する空気を冷却するものである。この蒸発器２５で蒸発した冷媒は、再び圧縮機に戻り圧縮されることになる。
【００２６】
上記商品載置部は、複数（図示の例では４つ）の商品載置棚３０と商品載置デッキ４０とを備えている。
【００２７】
各商品載置棚３０は、収納室１１の後方側において左右一対となる態様で立設された図示せぬ棚柱に係止された左右一対のブラケット３１に、平板状の棚板３３がレール部材３２を介して架け渡されるよう支持されることで構成されている。つまり、各商品載置棚３０は、ブラケット３１が棚柱に係止されることにより所定の高さレベルに配設されており、棚板３３の上面に商品を載置するものである。
【００２８】
また、商品載置棚３０を構成する棚板３３の下面に設けられた棚板ローラ支持部３４には図示せぬ棚板ローラが回転可能に支持されており、この棚板ローラが上記レール部材３２に転動可能に載置されている。このレール部材３２には、ブラケット３１に回転可能に支持されたブラケットローラ（図示せず）が棚板ローラとは異なる個所で回転可能に載置されている。これにより、棚板３３は、棚板ローラ及びブラケットローラがレール部材３２を転動することで、ブラケット３１に対して前後方向に沿ってスライド可能なものである。
【００２９】
各商品載置棚３０には、面材５０が取り付けられている。面材５０は、例えばアクリル樹脂やガラス等の透明体により構成されるもので、図２に示すように、商品載置棚３０の左右方向の略全域に亘って延在する、左右方向が長手方向となる長尺状の板状部材である。このような面材５０は、次のようにして各商品載置棚３０に取り付けられている。
【００３０】
各商品載置棚３０の棚板３３の前端部における左右両端部には、図２及び図３に示すように、前方に向けて延在する左右一対のアーム部３５が固定されている。これらアーム部３５の前端部間には、面材５０の基端部５１に設けられた貫通孔５１１を貫通する軸部３６が架設されることにより、面材５０がアーム部３５を介して商品載置棚３０に取り付けられている。つまり、面材５０は、商品載置棚３０の前端部より離隔した状態で配設されており、該商品載置棚３０との間に、該商品載置棚３０、左右一対のアーム部３５及び自身により囲繞される通過口３７を形成している。
【００３１】
かかる面材５０は、軸部３６が貫通孔５１１を貫通することで該軸部３６の中心軸を軸心としてその軸心回りに先端部５２が揺動する態様で開閉移動するものである。また、上記軸部３６に巻回する態様で設けられたバネ（付勢手段）３８の一端がアーム部３５に係止するとともに、他端が面材５０に係止することにより、面材５０は、常態においては、バネ３８に付勢されて先端部５２が基端部５１より上方に位置するよう上下方向に沿って延在する待機姿勢となる。
【００３２】
ここで、面材５０の長手方向に直交する方向の長さ、すなわち先端部５２から基端部５１までの長さ（以下、高さレベルの長さともいう）は、商品載置棚３０の商品を載置する領域の最大高さの半分以上の大きさとされている。この「商品載置棚３０の商品を載置する領域の最大高さ」とは、最上位の商品載置棚３０においては、棚板３３の上面と収納室１１の天面との距離Ａに相当し、最上位以外の商品載置棚３０においては、該商品載置棚３０（棚板３３の上面）と直上の商品載置棚３０との距離Ｂに相当する。つまり、最上位の商品載置棚３０に取り付けられる面材５０の高さレベルの長さは、距離Ａの半分以上あればよく、最上位以外の商品載置棚３０に取り付けられる面材５０の高さレベルの長さは、距離Ｂの半分以上あればよい。これにより、面材５０は、待機姿勢となる場合、商品載置棚３０の商品を載置する領域の最大高さの半分以上の高さを覆うことができる。尚、図３中の符号５２１は、面材５０の先端部５２に設けられた把手部である。
【００３３】
このような面材５０は、利用者により開操作力が付与されている間、図４に示すようにバネ３８の付勢力に抗して開移動し、該当する商品載置棚３０に載置された商品が前面開口１０ａを通じて取り出されることを許容する開放姿勢となるものである。尚、開操作力が解除される場合、すなわち面材５０がフリーな状態となる場合、面材５０は、バネ３８の付勢力により閉移動して待機姿勢となる。
【００３４】
商品載置デッキ４０は、収納室１１の底板に載置された状態で設けられており、上記商品載置棚３０と同様に、上面に商品を載置するものである。この商品載置デッキ４０にも面材５０が取り付けられている。面材５０は、例えばアクリル樹脂やガラス等の透明体により構成されるもので、商品載置デッキ４０の左右方向の略全域に亘って延在する、左右方向が長手方向となる長尺状の板状部材である。このような面材５０は、次のようにして商品載置デッキ４０に取り付けられている。
【００３５】
商品載置デッキ４０の前端部における左右両端部には、前方に向けて延在する左右一対のアーム部３５が固定されている。これらアーム部３５の前端部間には、面材５０の基端部５１に設けられた貫通孔５１１を貫通する軸部３６が架設されることにより、面材５０がアーム部３５を介して商品載置デッキ４０に取り付けられている。つまり、面材５０は、商品載置デッキ４０の前端部より離隔した状態で配設されており、該商品載置デッキ４０との間に、該商品載置デッキ４０、左右一対のアーム部３５及び自身により囲繞される通過口３７を形成している。
【００３６】
かかる面材５０は、軸部３６が貫通孔５１１を貫通することで該軸部３６の中心軸を軸心としてその軸心回りに先端部５２が揺動する態様で開閉移動するものである。また、上記軸部３６に巻回する態様で設けられたバネ３８の一端がアーム部３５に係止するとともに、他端が面材５０に係止することにより、面材５０は、常態においては、バネ３８に付勢されて先端部５２が基端部５１より上方に位置するよう上下方向に沿って延在する待機姿勢となる。
【００３７】
ここで、面材５０の高さレベルの長さは、商品載置デッキ４０の商品を載置する領域の最大高さの半分以上の大きさとされている。この「商品載置デッキ４０の商品を載置する領域の最大高さ」とは、商品載置デッキ４０と直上の商品載置棚３０（最下位の商品載置棚３０）との距離Ｃに相当する。つまり、商品載置デッキ４０に取り付けられる面材５０の高さレベルの長さは、距離Ｃの半分以上あればよい。これにより、面材５０は、待機姿勢となる場合、商品載置デッキ４０の商品を載置する領域の最大高さの半分以上の高さを覆うことができる。
【００３８】
このような面材５０は、利用者により開操作力が付与されている間、バネ３８の付勢力に抗して開移動し、該当する商品載置デッキ４０に載置された商品が前面開口１０ａを通じて取り出されることを許容する開放姿勢となるものである。尚、開操作力が解除される場合、すなわち面材５０がフリーな状態となる場合、面材５０は、バネ３８の付勢力により閉移動して待機姿勢となる。
【００３９】
以上のような構成によるショーケースにおいては、循環ファン２２及び圧縮機が駆動することにより、収納室１１の内部の空気は、吸込口２１１を通じて吸い込まれ、下方ダクト２１ａを通過し、背面ダクト２１ｂに進入して蒸発器２５で冷却され、冷気となって上方ダクト２１ｃを通過し、吹出口２１２より吹き出される。
【００４０】
吹出口２１２から吹き出された空気の大部分は、各商品載置棚３０の前端部、並びに商品載置デッキ４０の前端部に形成された通過口３７を通過して吸込口２１１に吸い込まれることでエアカーテンを形成する。このエアカーテンにより区切られる収納室１１の商品、すなわち商品載置部（商品載置棚３０及び商品載置デッキ４０）に載置された商品が所望の温度に冷却される。
【００４１】
また、吹出口２１２から吹き出された空気の一部は、各商品載置棚３０に取り付けられた待機姿勢の面材５０の前方側を該面材５０の延在方向（上下方向）に沿って通過し、商品載置デッキ４０に取り付けられた待機姿勢の面材５０の前方側を通過した後に前面開口１０ａより外部に排出される。つまり、商品載置部（商品載置棚３０及び商品載置デッキ４０）に取り付けられた面材５０は、待機姿勢となる場合に、自身の前面側に吹出口２１２から吹き出された空気を通過させるものである。
【００４２】
このように本実施の形態であるショーケースによれば、商品載置部（商品載置棚３０及び商品載置デッキ４０）に取り付けられた面材５０が、該商品載置部との間に吹出口２１２から吹き出された空気を通過する通過口３７を形成するので、これら通過口３７を通過する空気によりエアカーテンが良好に形成され、収納室１１の商品を良好に所望の温度に調整することができる。しかも上記面材５０が、待機姿勢となる場合に、商品載置部（商品載置棚３０及び商品載置デッキ４０）の商品を載置する領域の最大高さ（距離Ａ、距離Ｂ及び距離Ｃ）の半分以上の高さを覆うので、当該ショーケースが半屋内的に使用される環境下においても、店舗等の出入口から侵入する外気によりエアカーテンが乱されてしまうことを抑制できる。従って、耐環境性能の向上を図ることができる。
【００４３】
特に、上記ショーケースによれば、商品載置部（商品載置棚３０及び商品載置デッキ４０）に面材５０を開閉移動可能に取り付けるだけなので、既に市場に出回っているショーケースにも適用することができ、汎用性に優れたものとすることができる。
【００４４】
しかも、商品載置部（商品載置棚３０及び商品載置デッキ４０）に面材５０を開閉移動可能に取り付けるだけなので、ケース本体の前面開口を開閉する扉を取り付ける場合に比して、次のような利点がある。すなわち、扉を取り付ける場合には、該扉を支持するためにケース本体の構造の強度向上を図る必要があるが、本実施の形態では、扉を設ける必要がないので、ケース本体の構造の強度向上を図る必要がない。また、扉を開閉させるためのヒンジ機構を取り付ける必要があるが、本実施の形態では、ヒンジ機構を設ける必要がないので、該ヒンジ機構を設けることによる弊害、すなわち商品載置部の左右幅の減少による商品の収納本数の減少を招来することもない。
【００４５】
上記ショーケースによれば、商品載置部（商品載置棚３０及び商品載置デッキ４０）に取り付けられた面材５０は、待機姿勢となる場合に、自身の前面側に吹出口２１２から吹き出された空気を通過させるので、面材５０に結露等が生じてしまうことを抑制することができる。
【００４６】
上記ショーケースによれば、商品載置部（商品載置棚３０及び商品載置デッキ４０）に取り付けられた面材５０は、透明体により構成されているので、該面材５０が待機姿勢にある場合に、商品載置部（商品載置棚３０及び商品載置デッキ４０）に載置されている商品の視認性を確保することができる。
【００４７】
以上、本発明の好適な実施の形態について説明したが、本発明はこれに限定されるものではなく、種々の変更を行うことができる。
【００４８】
図５は、本発明の実施の形態であるショーケースの変形例の要部を拡大して示す拡大断面図である。尚、上述した実施の形態と同一の構成を有するものには同一の符号を付して重複した説明を省略する。
【００４９】
この図５に示すように、各商品載置棚３０の棚板３３に取り付けられたアーム部３５には、下方に突出する受部３９が設けられている。受部３９は、面材５０と同じ左右幅を有する長尺状部材であり、その下方への突出長さは、直下の商品載置棚３０に取り付けられた面材５０が待機姿勢にある場合に、その先端部５２に当接可能な大きさを有している。
【００５０】
このような構成によれば、各商品載置部（商品載置棚３０及び商品載置デッキ４０）の商品を載置する領域の前方部分を面材５０と受部３９とで閉塞することができ、収納室１１に外気が侵入することを抑制して耐環境性能の向上を更に図ることができる。
【００５１】
上述した実施の形態では、面材５０が、基端部５１の貫通孔５１１を貫通する軸部３６の中心軸を軸心として軸心回りに揺動する態様で開閉移動するものであったが、本発明においては、面材５０が左右方向又は上下方向にスライドする態様で開閉移動してもよいし、下端部が自由端として前後方向に揺動してもよい。面材が下端部を自由端として揺動する場合には、該面材が待機姿勢で覆う対象となる商品載置棚の直上の商品載置棚に取り付けられることとなる。
【００５２】
上述した実施の形態では、面材５０は、商品載置棚３０の左右方向の略全域に亘って延在するものであったが、本発明においては、面材は１つの商品載置棚に複数取り付けられていてもよく、個々の左右方向の長さは、商品載置部（商品載置棚及び商品載置デッキ）に載置される商品の列の左右幅に等しいものであってもよい。
【符号の説明】
【００５３】
１０  ケース本体
１０ａ  前面開口
１１  収納室
２０  空気循環手段
２１  空気通路
２１１  吸込口
２１２  吹出口
２２  循環ファン
２５  蒸発器
３０  商品載置棚
３３  棚板
３５  アーム部
３６  軸部
３７  通過口
３８  バネ
４０  商品載置デッキ
５０  面材
５１  基端部
５１１  貫通孔
５２  先端部
【図１】
2017000359.tif 000003
【図２】
2017000359.tif 000004
【図３】
2017000359.tif 000005
【図４】
2017000359.tif 000006
【図５】
2017000359.tif 000007